(57)【要約】【課題】温度変化によるバルブの開閉制御時間のバラツキを抑えた洗浄水供給装置を提供する。【解決手段】使用者の操作をエネルギーとして蓄えるバネと、該バネに蓄えられたエネルギーによって回動するカムと、該カムによって駆動され洗浄水の供給流路を開閉するためのバルブと、前記カムと連結され前記カムの回動速度を設定する速度設定手段と、を備えた洗浄水供給装置において、前記速度設定手段は、磁石により生起する磁界中を相対運動し電磁変換を行う電気伝導体からなる電動子と、該電動子に発生した起電力を取り出す出力部と、該出力部に接続された可変抵抗手段とＮＴＣ型のサーミスタとを備え、前記バネに蓄えられたエネルギーの開放時に駆動するエネルギー伝達経路の摺動部には、温度の上昇とともに摺動抵抗値が低下する材料を使用または塗布した。【選択図】　図１
2004108050.tif 000002
【特許請求の範囲】
【請求項１】
使用者の操作をエネルギーとして蓄えるバネと、
該バネに蓄えられたエネルギーによって回動するカムと、
該カムによって駆動され洗浄水の供給流路を開閉するためのバルブと、
前記カムと連結され前記カムの回動速度を設定する速度設定手段と、
を備えた洗浄水供給装置において、
前記速度設定手段は、磁石により生起する磁界中を相対運動し電磁変換を行う電気伝導体からなる電動子と、該電動子に発生した起電力を取り出す出力部と、該出力部に接続された可変抵抗手段とＮＴＣサーミスタとを備え、
前記バネに蓄えられたエネルギーの開放時に駆動するエネルギー伝達経路の摺動部には、温度の上昇とともに摺動抵抗値が低下する材料が使用または塗布されており、温度の上昇に対してエネルギー伝達経路の摺動抵抗値が、略一定若しくは低下するように構成されていることを特徴とする洗浄水供給装置。
【請求項２】
前記可変抵抗手段は、複数の可変抵抗器と、使用する可変抵抗器を選択する切替スイッチを備え、各可変抵抗器毎に前記ＮＴＣ型のサーミスタを設置したことを特徴とする請求項１に記載の洗浄水供給装置。
【請求項３】
前記請求項１又は２記載の洗浄水供給装置は、水道配管と直接接続した洗浄水の供給流路に設けられたダイヤフラム弁と、このダイヤフラム弁の背圧室と連通したパイロット流路とを備え、
このパイロット流路を前記バルブによって開閉することによって、水道水を所定時間便器へ供給することを特徴とする水洗便器。
【発明の詳細な説明】
【０００１】
【発明の属する技術分野】
本発明は、洗浄水の供給時間を管理する洗浄水供給装置に関するものである。
【０００２】
【従来の技術】
従来の洗浄水供給装置としては、使用者の操作をエネルギーとして蓄えるバネと、該バネに蓄えられたエネルギーによって回動するカムと、該カムによって駆動されて洗浄水の供給流路を開閉するためのバルブと、前記カムと連結され前記カムの回動速度を設定する速度設定手段とを備え、この速度設定手段は磁石により生起する磁界中を相対運動し電磁変換を行う電気伝導体からなる電動子と、この電動子に発生した起電力を取り出す出力部を備え、該出力部に図２４に示すＮＴＣ型サーミスタを利用した負荷を接続することによって、温度変化による電気伝導体の電気抵抗値変化を補償するものが知られている（特許文献１参照。）。
【０００３】
【特許文献１】
国際公開第０１／７５２３８号パンフレット（図６，図２２）
【発明が解決しようとする課題】
【０００４】
しかし、特許文献１の洗浄水供給装置は、温度変化による電気伝導体の電気抵抗値変化は補償されるが、バネからカムへ、カムから速度設定手段へ、カムからバルブへなどのバネのエネルギー伝達経路の摺動部でのエネルギー消費量変化までは補償することができず、温度変化によるバルブの開閉動作時間のバラツキを完全には抑えることができない。
即ち、特許文献１の洗浄水供給装置においては、温度上昇に伴い、電気伝導体の抵抗値上昇（電気伝導体は移動しやすくなりバルブ開閉速度も速くなる）と、エネルギー伝達経路の摺動抵抗上昇（バルブ開閉速度は遅くなる）、という相反する現象が発生するため、それを温度上昇に伴い抵抗値が減少するＮＴＣ型のサーミスタを出力部に接続したとしても、所定の温度範囲に亘ってバルブの開閉速度を略一定となるように補償することはできないものであった。
【０００５】
本発明は上記問題に鑑みてなされたものであり、温度変化によって惹起される前記電気伝導体の電気抵抗値変化分だけでなく、バネのエネルギー伝達経路の摺動部でのエネルギー消費量変化分まで補償し、温度変化によるバルブの開閉制御時間のバラツキを抑えた洗浄水供給装置を提供することを目的とする。
【０００６】
【課題を解決するための手段及び作用・効果】
上記課題を解決するために、本発明においては、使用者の操作をエネルギーとして蓄えるバネと、該バネに蓄えられたエネルギーによって回動するカムと、該カムによって駆動され洗浄水の供給流路を開閉するためのバルブと、前記カムと連結され前記カムの回動速度を設定する速度設定手段と、を備えた洗浄水供給装置において、前記速度設定手段は、磁石により生起する磁界中を相対運動し電磁変換を行う電気伝導体からなる電動子と、該電動子に発生した起電力を取り出す出力部と、該出力部に接続された可変抵抗手段とＮＴＣサーミスタとを備え、前記バネに蓄えられたエネルギーの開放時に駆動するエネルギー伝達経路の摺動部には、温度の上昇とともに摺動抵抗値が低下する材料が使用または塗布されており、温度の上昇に対してエネルギー伝達経路の摺動抵抗値が、略一定若しくは低下するように構成されていることを特徴とする。
【０００７】
本発明に係る洗浄水供給装置においては、カムの回動速度を設定する速度設定手段に設けた可変抵抗手段の電気抵抗値を小さくすることにより、電動子から出力部を経て取り出す起電力により流れる電流値が大きくなるため、速度設定手段は大きな制動力を持つ。したがって、カムの回動速度が遅くなり、バルブの開閉制御時間を長くすることができ、逆に、可変抵抗手段の電気抵抗値を大きくすれば、バルブの開閉制御時間を短くすることができる。
一方、速度設定手段の有する電動子の電気抵抗値は、温度の上昇とともに大きくなる（バルブ開閉制御時間が短くなる）特性を持つ。したがって、温度によるバネのエネルギー伝達経路の摺動部でのエネルギー消費量変化も温度の上昇とともに小さくする（バルブ開閉制御時間が短くなる）かもしくは略一定にする、つまり電気抵抗値でのエネルギー消費量＋摺動部でのエネルギー消費量を温度の上昇とともに小さくし、温度が上昇するとともに電気抵抗値が小さくなる（温度が上昇するとともにエネルギー消費量が大きくなりバルブ開閉制御時間が長くなる）という逆の特性を有するＮＴＣ型のサーミスタを用いることによって、温度変化により惹起される電動子の電気抵抗値変化分だけでなく、バネのエネルギー伝達経路の摺動部でのエネルギー消費量変化分まで補償することができ、ひいては温度変化によるバルブの開閉制御時間のバラツキを抑えることが可能となる。
【０００８】
尚、摺動抵抗値（摩擦係数）は、一般的に使用される図２３に示す往復摺動試験装置で測定する。試験サンプルを摺動側プレート４０に固定し、その上に上部側（相手側）試験片４１に荷重４２をかけて接触させ、摺動を開始させ、ロードセル４３によって検出された摩擦係数を記録計４４にて読み取る。測定温度は０℃〜４０℃で行った。
【０００９】
本発明の好ましい態様においては、前記可変抵抗手段は、複数の可変抵抗器と、使用する可変抵抗器を選択する切替スイッチを備え、各可変抵抗器毎に前記ＮＴＣ型のサーミスタを設置したことを特徴とする。
バルブの開閉制御時間、つまり洗浄水供給時間を切替スイッチで目的に応じて変更することが可能であり、各々の洗浄水供給時間に対しても温度変化によるバラツキを抑えることが可能となる。
【００１０】
本発明の好ましい態様においては、水道配管と直接接続した洗浄水の供給流路に設けられたダイヤフラム弁と、このダイヤフラム弁の背圧室と連通したパイロット流路とを備え、このパイロット流路を前記バルブによって開閉することによって、水道水を所定時間便器へ供給することを特徴とする。
ダイヤフラム弁を用い、水圧のエネルギーを利用して洗浄水の供給流路を開閉するため、使用者が操作時、与えるエネルギー量を少なくすることができ、比較的大流量が必要な水洗便器の洗浄用としても本発明の洗浄水供給装置が提供できる。
特に、本発明の洗浄水供給装置を搭載し、使用者の操作に基づいて水道配管から供給された水道水を所定時間便器へ供給する水洗便器であれば、外部からの電気供給を必要とせずに便器洗浄水の供給時間を管理することができる。便器洗浄のように、停電時の未作動が使用者の生活に混乱を与えるものに関しては、電動式の洗浄水供給手段だと停電時での作動可能な装置が別途必要となるが、そのような装置も必要なくシンプルな構成の水洗便器を提供できるようになる。さらに、温度変化によるバルブの開閉制御時間のバラツキが少ない、つまり温度変化による洗浄水吐水量のバラツキが少ないため、温度が変化しても確実に便器洗浄を行うことができるようになる。
【００１１】
【発明の実施の形態】
本発明の実施例に係る洗浄水供給装置１を説明する。
図１、２に示すように、洗浄水供給装置１は、使用者が操作を行う操作部５０を介して回転駆動される操作軸２と、増速ギア列３を介して操作軸２に係合する第１回転軸４とを備えている。第１回転軸４の一端に係止爪５が固定されている。第１回転軸４の一端近傍部に可動爪６ａが摺動回転可能に外嵌合している。可動爪６ａは、第１回転軸４の後述する始点から終点へ向かう回転方向に関して係止爪５の後方に配設されている。第１回転軸４の始点から終点へ向かう回転方向に関して、可動爪６ａの後方に固定爪６ｂが配設されている。固定爪６ｂは洗浄水供給装置１の図示しないケーシングに固定されている。係止爪５は可動爪６ａの周方向の一端６ａ’に当接しており、可動爪６ａの周方向の他端６ａ”の径方向先端部が固定爪６ｂに当接している。第１回転軸４の他端近傍部に一端が固定され、使用者の操作をエネルギーとして蓄えるゼンマイバネ７が配設されている。
【００１２】
図３〜５に示すように、増速ギア列３の第１回転軸４側の最終ギア３ａと一体形成され、第１回転軸４と一体的に回転する係合片８ａ、８ｂが配設されている。係合片８ａ、８ｂは周方向に互いに１８０度間隔を隔てて配設されている。係合片８ａ、８ｂと係合可能な２個の係合突起９ａ、９ｂが形成された第１カム９が第１回転軸４に摺動回転可能に外嵌合している。係合突起９ａ、９ｂは周方向に互いに１８０度間隔を隔てて配設されている。ゼンマイバネ７に蓄えられたエネルギーによって回動する第１カム９は、螺旋状に径が拡大する第１カム面９ｃと、第１カム面９ｃの最大径部に滑らかに接続する円弧状の第２カム面９ｄとを有している。第２カム面９ｄの終端は第１カム面９ｃの始端へ向けて略垂直に落ち込んでいる。
【００１３】
図３〜６に示すように、１方向クラッチ１０の第１部分１０ａが、第１回転軸４に対して長手方向に相対移動可能に、且つ第１回転軸４に対して相対回転不能に、第１回転軸４に外嵌合している。図３、図６に示すように、第１部分１０ａの端面に係合爪１０ａ’が形成されている。係合爪１０ａ’は、周方向に延在すると共に上に凸の滑らかな曲線を描いて第１部分１０ａの端面から盛り上がる斜面１０ａ１’と、斜面１０ａ１’の最高点から第１部分１０ａの端面へ向けて垂直に落ち込む端面１０ａ２’とを有している。
【００１４】
図３〜６に示すように、１方向クラッチ１０の第２部分１０ｂが、第１部分１０ａに隣接して隣接して配設されている。第２部分１０ｂは、第１回転軸４に対して長手方向に相対移動不能に、且つ第１回転軸４に対して相対回転可能に、第１回転軸４に外嵌合している。図５、６に示すように、第２部分１０ｂの第１部分１０ａに向かい合う端面に、係合爪１０ａ’に噛合可能な係合爪１０ｂ’が形成されている。係合爪１０ｂ’は螺旋状に第２部分１０ｂの端面から盛り上がる斜面１０ｂ１’と、斜面１０ｂ１’の最高点から第２部分１０ｂの端面へ向けて垂直に落ち込む端面１０ｂ２’とを有している。
【００１５】
図３〜６に示すように、第１部分１０ａを第２部分１０ｂへ向けて付勢するバネ１１が、第１回転軸４に外嵌合している。バネ１１の付勢力の下に、図４に示すように、第１部分１０ａは第２部分１０ｂに押し付けられている。
【００１６】
第２カム１２が、１方向クラッチ１０の第２部分１０ｂと一体形成されている。ゼンマイバネ７に蓄えられたエネルギーによって回動する第２カム１２は、円弧状のカム面１２ａと、カム面１２ａを横断してカム面１２ａに形成された横溝１２ｂとを有している。カム面１２ａの径は、第１カム９の第１カム面９ｃの第２カム面９ｄに近接する部位の径と同一値に設定されている。ゼンマイバネ７に蓄えられたエネルギーによって回動する第１カム９と第２カム１２に対峙して、第１カムロッド１３が配設されている。第１カムロッド１３の一端に、第１カム９の第１カム面９ｃ、第２カム面９ｄに当接可能な第１脚部１３ａと、第２カム１２のカム面１２ａに当接可能で且つ横溝１２ｂに嵌合可能な第２脚部１３ｂとが形成されている。第１カムロッド１３の他端は図示しない洗浄水の供給流路を開閉するためのバルブの第１弁に当接している。第１カムロッド１３は図示しないバネにより第１カム９と第２カム１２とへ向け付勢されている。
【００１７】
１方向クラッチ１０の第２部分１０ｂは外歯車１４を形成されている。図１、２に示すように、外歯車１４に噛合する外歯車１５に、回転軸１６が挿通固定されている。回転軸１６に第３カム１７が固定されている。図２に示すように、ゼンマイバネ７に蓄えられたエネルギーによって回動する第３カム１７は、螺旋状に径が拡大するカム面１７ａを有している。略１８０度に亘って延在するカム面１７ａの終端はカム面１７ａの始端へ向けて略垂直に落ち込んでいる。図１、２に示すように、第３カム１７に対峙して、第２カムロッド１８が配設されている。第２カムロッド１８の一端は第３カム１７のカム面１７ａに当接可能であり、他端は図示しない洗浄水の供給流路を開閉するためのバルブの第２弁に当接している。第２カムロッド１８は図示しないバネにより第３カム１７へ向けて付勢されている。
【００１８】
図１、図２に示すように外歯車１５に噛合する増速ギア列１９に、磁石により生起する磁界中を相対運動し電磁変換を行う電気伝導体からなる電動子を有し、電動子には起電力を取り出す出力部を備え、第１カム９、第２カム１２、第３カム１７の回動速度を設定する速度設定手段である発電装置２０が接続されている。図７に発電装置２０の一例を示す。発電装置２０はローター３０に永久磁石３１が勘合されており、ローター３０の回転と同時に永久磁石３１も回転する。永久磁石３１の外周部には所定の隔絶距離を設けて電気伝導体である第一ヨーク３２と第二ヨーク３３が設置されている。第一ヨーク３２と第二ヨーク３３は軟鉄板の表面にめっき処理を施したものを所定の形状に曲げ加工したものである。
逆に、永久磁石部分が電気伝導体で、電気伝導体（ヨーク部分）が磁石でも良い。
永久磁石３１は保磁力の高いコバルトフェライト磁石を用いており、周方向に略均等に着磁されている。ここではＳ極、Ｎ極を周方向に均等にそれぞれ６極交互に配置した１２極構成を用いている。これ以外にも永久磁石３１の組成はネオジム、サマリウム、コバルト、クロム等を含有したものでも良く、保磁力の高いものを用いることで小型で高い制動力を発揮する。また、多極異方性磁石を用いることもできる。
【００１９】
第一ヨーク３２、第二ヨーク３３には銅線が巻かれ、第一コイル３４と第二コイル３５で電動子を形成している。永久磁石３１の回転に伴い第一コイル３４と第二コイル３５では電磁変換が行なわれ起電力が発生する。
【００２０】
それぞれの巻き線の端部はこれらの起電力を外部に取り出すことができるように図示しない電極部に接続され電磁変換によって発生した起電力を発電装置２０の外部に取り出せるように構成されている。ここでは複数のコイルとヨークから成るコイル体を用いているが、必要なトルク負荷に応じて単数であっても構わない。
【００２１】図８に示すように、発電装置２０に可変抵抗手段である可変抵抗器ｒ０とサーミスタｒ１の第１負荷が接続されている。速度設定値を選択する切替スイッチ２０ａを介して可変抵抗器ｒ０とサーミスタｒ１の第１負荷に並列に接続可能に可変抵抗器ｒ２とサーミスタｒ３が配設されている。切替スイッチ２０ａがＯＮ／ＯＦＦ操作されることにより、発電装置２０に接続される負荷が択一的に選択される。切替スイッチ２０ａがＯＦＦされると第１負荷（ｒ０＋ｒ１）が発電装置２０に接続され、切替スイッチ２０ａがＯＮされると第２負荷（（ｒ０＋ｒ１）×（ｒ２＋ｒ３））／（（ｒ０＋ｒ１）＋（ｒ２＋ｒ３））が発電装置２０に接続される。切替スイッチ２０ａは初期状態ではＯＦＦされている。
【００２２】
図１、９に示すように、使用者が操作を行う操作部５０は操作レバー６１ａと錘６１ｂとを有し、図示しない１方向クラッチを介して操作軸２に係合可能な第１ハンドル６１を備えている。錘６１ｂは操作レバー６１ａに固定されている。操作レバー６１ａの図１、９で白抜き矢印で示す第１方向への回転は図示しない１方向クラッチを介して操作軸２へ伝達されるが、反対の第２方向への回転は操作軸２へ伝達されない。操作部５０は、操作レバー６１ａに係合可能な操作レバー６２ａと操作レバー６２ａに固定された錘６２ｂとレバー６２ｃとを有する第２ハンドル６２を備えている。操作レバー６２ａを図１、９で白抜き矢印で示す第１方向へ回転操作すると、操作レバー６２ａが操作レバー６１ａに係合し、操作レバー６１ａを第１方向へ回転駆動する。操作レバー６１ａを第１方向へ回転操作しても、操作レバー６２ａは回転駆動されない。図９に示すように、操作軸２にレバー６３が固定されている。
【００２３】
レバー６２ｃ、６３に隣接して、揺動カム６４が配設されている。揺動カム６４はレバー６２ｃに係合可能なレバー６４ａと、レバー６３に係合可能なレバー６４ｂと錘６４ｃと、切替スイッチ２０ａのレバー２０ａ’に当接可能なカム面６４ｄとを有している。
【００２４】
図１０〜図１４を参照しつつ、洗浄水供給装置１の作動を説明する。
使用者により操作部５０が操作されていない時は、操作部５０を構成する諸部材と揺動カムとは図１、９に示す初期位置にあり、操作レバー６２ａは操作レバー６１ａに当接している。レバー６４ａはレバー６２ｃに近接する方向へ差し向けられているが、レバー６２ｃから離れており、レバー６４ｂはレバー６３から遠ざかる方向へ差し向けられてレバー６３から離れており、カム面６４ｄはレバー２０ａ’から離れている。切替スイッチ２０ａは初期状態にあってＯＦＦされており、第１負荷（ｒ０＋ｒ１）が発電装置２０に接続されている。錘６４ｃは揺動カム６４を図１、９で白抜き矢印で示す第１方向へ付勢しており、揺動カム６４は図示しないストッパーに当接して図１、９に示す初期位置に保持されている。
【００２５】
第１回転軸４は始点に在る。ゼンマイバネ７は洗浄水供給装置１の組み立て時に予め所定量巻き上げられており、ゼンマイバネ７により、第１回転軸４は、係止爪５が可動爪６ａの周方向の一端６ａ’に当接する方向へ付勢されている。図１、２に示すように、係止爪５が可動爪６ａの周方向の一端６ａ’に当接し、可動爪６ａの周方向の他端６ａ”の径方向先端部が固定爪６ｂに当接することにより、第１回転軸４は始点に保持されている。
【００２６】
１方向クラッチ１０の係合爪１０ａ’の端面１０ａ２’は係合爪１０ｂ’の端面１０ｂ２’に当接しており、係合爪１０ａ’は係合爪１０ｂ’と噛合している。図１０（ａ）に示すように、第１回転軸４と一体的に回転する係合片８ａ、８ｂが第１カム９の係合突起９ａ、９ｂに係合している。第１カム９は第１位置に在り、第１カムロッド１３の脚部１３ａは、第１カム９の第１カム面９ｃの始端部に僅かな隙間を隔てて対峙している。第２カム１２は図１１（ａ）に示す位置に在り、第１カムロッド１３の脚部１３ｂは、第２カム１２の横溝１２ｂへ落ち込んでいる。この状態で、第１カムロッド１３のリフト量は零であり、第１カムロッド１３が係合する図示しない洗浄水の供給流路を開閉するためのバルブの第１弁のリフト量も図１２に示すように零であり、第１弁は閉じている。
【００２７】
図１３に示すように、第１ハンドル６１の操作レバー６１ａが初期位置から第１方向へ最終位置まで回転操作されると、錘６１ｂ、レバー６３も初期位置から最終位置まで回転する。レバー６３はレバー６４ｂに係合せず、揺動カム６４は初期位置に保持される。切替スイッチ２０ａのＯＦＦ状態が維持され、第１負荷（ｒ０＋ｒ１）が発電装置２０に接続された状態が維持される。第２ハンドル６２の操作レバー６２ａと第１ハンドル６１の操作レバー６１ａとの係合は解除され、第２ハンドル６２の操作レバー６２ａ、錘６２ｂ、レバー６２ｃは初期位置に保持される。
【００２８】
操作レバー６１ａの回転操作量が増速ギア列３を介して増幅されて第１回転軸４へ伝達され、第１回転軸４が、始点から終点へ向けて、図１、２で白抜き矢印で示す方向へ回転を開始し、係止爪５が可動爪６ａの周方向の一端６ａ’から離れる。第１回転軸４が始点から終点へ向け回転することにより、ゼンマイバネ７が巻き上げられる。第１回転軸４が始点から終点へ向けて回転する際には、１方向クラッチ１０の第１部分１０ａは、図６で白抜き矢印で示す方向へ回転するので、第１部分１０ａの係合爪１０ａ’は第２部分の係合爪１０ｂ’に噛合しない。この結果、第２カム１２は図１１（ａ）に示す位置に保持される。
【００２９】
第１回転軸４が９０度回転すると、図１０（ｂ）に示すように、係合片８ａが第１カム９の係合突起９ｂに係合し、係合片８ｂが第１カム９の係合突起９ａに係合する。第１回転軸４が更に回転すると、第１カム９が、係合片８ａ、８ｂを介して第１回転軸４により回転駆動され、回転を開始する。第１回転軸４が約１６０度回転すると、脚部１３ａが第１カム９の第１カム面９ｃに当接する。第１回転軸４が更に回転するのに伴って、図示しないバネを押し縮めつつ、図１２に示すように、第１カムロッド１３ひいては第１弁のリフト量が零から漸増する。
【００３０】
第１回転軸４が２２０度回転すると、図１２に示すように、第１カムロッド１３ひいては第１弁のリフト量が１．５ｍｍになり、図示しない洗浄水の供給流路を開閉するためのバルブの第１弁が開弁する。第１回転軸４が更に回転すると、図１２に示すように、第１カムロッド１３ひいては第１弁のリフト量が１．５ｍｍを超え、図１１（ｂ）に示すように、第１カムロッド１３の脚部１３ｂは、第２カム１２の横溝１２ｂから離脱する。
【００３１】
第１回転軸４が２７０度回転すると、図１０（ｃ）に示すように、第１カムロッド１３の脚部１３ａは、第１カム９の第２カム面９ｄに当接し、図１２に示すように、第１カムロッド１３ひいては第１弁のリフト量は２ｍｍになる。第１回転軸４が更に回転しても、第１カムロッド１３ひいては第１弁のリフト量は２ｍｍに維持される。
【００３２】
第１回転軸４が略３６０度回転すると、係止爪５が、固定爪６ｂに当接することなく、可動爪６ａの周方向の他端６ａ″の径方向基部に当接し、可動爪６ａを回転駆動する。従って、第１回転軸４は３６０度を超えて回転することができる。
【００３３】
第１回転軸４が４１０度回転すると、第１カム９は図１０（ｄ）に示す第２位置に到達し、第１カム９に形成された突起９ｅが第１カムロッド１３の脚部１３ａに係合し、第１回転軸４は終点に到達して回転を停止する。
第１回転軸４の始点から終点までの回転は、瞬時に行われる。
【００３４】
第１回転軸４が終点に到達した直後に操作レバー６１ａに印加されていた力が解除されると、操作レバー６１ａは錘６１ｂの付勢力を受けて直ちに初期位置へ復帰する。揺動カム６４は初期位置に保持されており、発電装置２０に第１負荷（ｒ０＋ｒ１）が接続された状態は維持されている。ゼンマイバネ７に蓄積された歪エネルギーが開放され、第１回転軸４は終点から始点へ向けて回転を開始する。発電装置２０は停止しており、第１回転軸４には有為な制動トルクは印加されないので、第１回転軸４は高速で回転する。
【００３５】
第１回転軸４が終点から始点へ向けて５０度回転し、始点からの回転角度が３６０度の位置まで戻ると、１方向クラッチ１０の係合爪１０ａ′の端面１０ａ２′が係合爪１０ｂ′の端面１０ｂ２′に当接し、係合爪１０ａ′が係合爪１０ｂ′と噛合する。この結果、第１回転軸４の回転が１方向クラッチ１０の第２部分１０ｂに伝達される。図１１（ａ）、（ｂ）に示す位置に在った第２カム１２が、図１１（ｂ）で白抜き矢印で示す方向へ、回転を開始する。１方向クラッチ１０の第２部分１０ｂが形成する外歯車１４に噛合する外歯車１５が回転を開始し、第３カム１７が回転を開始する。増速ギヤ列１９を介して外歯車１５に係合する発電装置２０が始動して発電を開始する。発生した電力が第１負荷（ｒ０＋ｒ１）で消費される。発電のためのトルクが第１回転軸４の回転に対する制動トルクとなり、第１回転軸４の回転速度が減速する。図８（ｂ）に示すように、第１回転軸４は角速度ω１で回転する。操作レバー６１ａが回転操作された時点から第１回転軸４の終点から始点へ向かう回転の角速度がω１になる迄の時間は瞬時であり、第１弁体の開閉制御は実質的に第１回転軸４の終点から始点へ向かう回転の角速度がω１になった時点から開始される。
【００３６】
第１回転軸４が終点から始点へ向けて９０度回転し、始点からの回転角度が３２０度の位置まで戻ると、図１０（ｅ）に示すように、係合片８ｂが第１カム９の係合突起９ｂに係合し、係合片８ａが第１カム９の係合突起９ａに係合する。第１回転軸４が更に回転すると、第１カム９が、係合片８ａ、８ｂを介して第１回転軸４により回転駆動され、第２位置から第１位置へ向けて回転を開始する。
【００３７】
第１回転軸４が終点から始点へ向けて２３０度回転し、始点からの回転角度が１８０度の位置まで戻ると、図１０（ｆ）に示すように、脚部１３ａが第１カム９の第１カム面９ｃに当接する。第１回転軸４が更に回転するのに伴って、図示しないバネの付勢力の下に、図１２に示すように、第１カムロッド１３ひいては第１弁のリフト量が漸減する。
【００３８】
第１回転軸４が終点から始点へ向けて２８０度回転し、始点からの回転角度が１３０度の位置まで戻ると、図１１（ｃ）に示すように、脚部１３ｂが第２カム１２のカム面１２ａに当接する。第１回転軸４が更に回転すると、脚部１３ｂと第２カム１２のカム面１２ａとの当接状態は維持されるが、脚部１３ａは第１カム９の第１カム面９ｃから浮き上がり、脚部１３ａと第１カム９の第１カム面９ｃとの当接状態は解除される。脚部１３ｂと第２カム１２のカム面１２ａとの当接状態が維持されることにより、図１２に示すように、第１カムロッド１３ひいては図示しない洗浄水の供給流路を開閉するためのバルブの第１弁のリフト量は１．５ｍｍに維持され、第１弁の開弁状態は維持される。
【００３９】
第１回転軸４が終点から始点へ向けて４０２度回転し、始点からの回転角度が８度の位置まで戻ると、図１１（ｄ）に示すように、第１カムロッド１３の脚部１３ｂが第２カム１２の横溝１２ｂへ落ち込み、図１２に示すように、第１カムロッド１３のリフト量ひいては第１弁のリフト量が瞬時に零になる。第１弁のリフト量が瞬時に零になることにより、図示しない洗浄水の供給流路を開閉するためのバルブの第１弁が瞬時に閉じる。第１カムロッド１３の脚部１３ａが僅かの隙間を隔てて第１カム９の第１カム面９ｃの始端近傍部に対峙する。
【００４０】
第１回転軸４が終点から始点へ向けて４１０度回転し、始点まで戻ると、第１カム９は図１０（ａ）に示す第１位置に戻り、第２カム１２は図１１（ａ）に示す位置に戻る。第１カムロッド１３は、脚部１３ａが僅かな隙間を隔てて第１カム９の第１カム面９ｃの始端部に対峙し、脚部１３ｂが第２カム１２の横溝１２ｂへ落ち込んだ状態に戻る。係止爪５が可動爪６ａの周方向の一端６ａ′に当接し、可動爪６ａの周方向の他端６ａ″の径方向先端部が固定爪６ｂに当接して、第１回転軸４は始点位置で停止する。
【００４１】
第１回転軸４が終点から始点へ向かって回転するのに伴って、操作軸２も回転し、レバー６３も初期位置へ向けて回転する。レバー６３から遠ざかる方向へ差し向けられた揺動カム６４のレバー６４ｂにレバー６３は係合せず、揺動カム６４は初期位置に保持され、切替スイッチ２０ａのＯＦＦ状態は維持され、発電装置２０に第１負荷（ｒ０＋ｒ１）が接続された状態は維持される。この結果、第１弁の開閉制御中、第１回転軸４の角速度は、図８（ｂ）に示すように、ω１に維持される。
【００４２】
第２カム１２が回転するのに同期して、第３カム１７が回転する。第３カム１７が１回転する間に、第２カムロッド１８のリフト量ひいては図示しない洗浄水の供給流路を開閉するためのバルブの第２弁のリフト量が零から所定値まで漸増し、所定値から瞬時に零になる。この結果、図示しない洗浄水の供給流路を開閉するためのバルブの第２弁が開き、所定時間後に瞬時に閉じる。
【００４３】
図１４に示すように、第２ハンドル６２の操作レバー６２ａが初期位置から第１方向へ最終位置まで回転操作されると、錘６２ｂ、レバー６２ｃも初期位置から最終位置まで回転する。操作レバー６２ａが係合する第１ハンドル６１の操作レバー６１ａも、操作レバー６２ａに駆動されて初期位置から第１方向へ最終位置まで回転し、錘６１ｂ、レバー６３も初期位置から最終位置まで回転する。
【００４４】
レバー６２ｃがレバー６４ａに係合して、揺動カム６４を図示しないストッパーから離脱させ、初期位置から図１４に示す最終位置へ揺動させる。レバー６４ｂがレバー６３に接近する方向へ差し向けられるが、レバー６４ｂはレバー６３に係合しない。カム面６４ｄがレバー２０ａ′に当接してレバー２０ａ′を押し下げ、切替スイッチ２０ａをＯＮする。第２負荷（（ｒ０＋ｒ１）×（ｒ２＋ｒ３））／（（ｒ０＋ｒ１）＋（ｒ２＋ｒ３））が発電装置２０に接続される。錘６４ｃが揺動カム６４を図１４で白抜き矢印で示す第２方向へ付勢し、カム面６４ｄがレバー２０ａ′に当接してレバー２０ａ′を押し下げた状態で、揺動カム６４は図１４に示す最終位置に保持される。
【００４５】
前述の如く第１回転軸４が始点から終点へ回転し、ゼンマイバネ７が巻き上げられる。
第１回転軸４が終点に到達した直後に操作レバー６２ａに印加されていた力が解除されると、操作レバー６２ａは錘６２ｂの付勢力を受けて直ちに初期位置へ復帰し、操作レバー６１ａも錘６１ｂの付勢力を受けて直ちに初期位置へ復帰する。錘６４ｃからの付勢力の下に、揺動カム６４は最終位置に保持されており、発電装置２０に第２負荷（（ｒ０＋ｒ１）×（ｒ２＋ｒ３））／（（ｒ０＋ｒ１）＋（ｒ２＋ｒ３））が接続された状態が維持される。ゼンマイバネ７に蓄積された歪エネルギーが開放され、第１回転軸４は終点から始点へ向けて回転を開始する。
【００４６】
前述の如く、１方向クラッチ１０が始動し、発電装置２０が始動して発電を開始し、発生した電力が第２負荷（（ｒ０＋ｒ１）×（ｒ２＋ｒ３））／（（ｒ０＋ｒ１）＋（ｒ２＋ｒ３））で消費され、発電のためのトルクが第１回転軸４の回転に対する制動トルクとなって、高速で回転していた第１回転軸４の回転速度が減速し、図８（ｃ）に示すように、第１回転軸４は角速度ω０で回転する。第２負荷（（ｒ０＋ｒ１）×（ｒ２＋ｒ３））／（（ｒ０＋ｒ１）＋（ｒ２＋ｒ３））で消費される電力は第１負荷（ｒ０＋ｒ１）で消費される電力よりも小さく、発電装置２０が第１回転軸４に印加する制動トルクは発電装置２０に第１負荷（ｒ０＋ｒ１）が接続された場合よりも大きいので、角速度ω０は角速度ω１よりも小さい。操作レバー６２ａが回転操作された時点から第１回転軸４の終点から始点へ向かう回転の角速度がω０になる迄の時間は瞬時であり、第１弁の開閉制御は実質的に第１回転軸４の終点から始点へ向かう回転の角速度がω０になった時点から開始される。
【００４７】
第１回転軸４が終点から始点へ向かって回転するのに伴って、操作軸２も回転し、レバー６３も初期位置へ向けて回転する。レバー６３に接近する方向へ差し向けられた揺動カム６４のレバー６４ｂにレバー６３が係合し、揺動カム６４を図１４に示す最終位置から図２、９に示す初期位置へ戻す。カム面６４ｄがレバー２０ａ′から離れ、切替スイッチ２０ａはＯＦＦされ、第２負荷（（ｒ０＋ｒ１）×（ｒ２＋ｒ３））／（（ｒ０＋ｒ１）＋（ｒ２＋ｒ３））に代えて第１負荷（ｒ０＋ｒ１）が発電装置２０に接続される。この結果、第１弁の開閉制御中に、第１回転軸４の角速度は、図８（ｃ）に示すようにω０からω１に変更される。第１弁の開閉制御の終了まで第１回転軸４の角速度はω１に維持される。
【００４８】
第１弁の開閉制御の途中まで、第１回転軸４の角速度がω１よりも小さなω０に設定されることにより、洗浄水の供給流路を開閉するためのバルブの第１弁、第２弁の開閉制御時間が、第１ハンドル６１の操作レバー６１ａを回転操作した場合に比べて長くなる。
【００４９】
上記説明から分かるように、洗浄水供給装置１においては、第１回転軸４が終点から始点へ向けて回転する際の回転速度が発電装置２０により減速され、カム９、１２、１７の回転速度ひいてはカムロッド１３、１８の運動速度が減速され、洗浄水の供給流路を開閉するためのバルブの第１弁、第２弁が長時間に亘って開閉制御される。
【００５０】
前述したように、使用者の操作により、操作レバー６１ａまたは６２ａの回転操作量が増速ギア列３を介して増幅されて第１回転軸４へ伝達され、第１回転軸４が、始点から終点へ向けて、回転することにより、ゼンマイバネ７が巻き上げられ、エネルギーが蓄えられる。第１回転軸４が終点に到達した直後に操作レバー６１ａまたは６２ａに印加されていた力が解除されると、ゼンマイバネ７に蓄積されたエネルギーが開放され、第１回転軸４は終点から始点へ向けて回転を開始し、発電装置２０が始動して発電を開始し、発生した電力が第１負荷（ｒ０＋ｒ１）または第２負荷（（ｒ０＋ｒ１）×（ｒ２＋ｒ３））／（（ｒ０＋ｒ１）＋（ｒ２＋ｒ３））で消費され、発電のためのトルクが第１回転軸４の回転に対する制動トルクとなって、第１回転軸４は角速度ω０またはω１で回転する。
詳述すれば、第１回転軸４の回転に対する制動トルクは発電装置２０の発電による制動力とゼンマイバネ７のエネルギー伝達経路の摺動による制動力とからなる。ゼンマイバネ７のエネルギー伝達経路とは、第１回転軸４から１方向クラッチ１０、外歯車１５、増速ギア列１９を経て発電装置２０への伝達経路及び、第１回転軸４から増速ギア列３を経て操作軸２への伝達経路及び、第１回転軸４から第１カム９、第２カム１２、第３カム１７を経て洗浄水の供給流路を開閉するためのバルブへの伝達経路などのことである。
発電装置２０、つまり速度設定手段の有する電動子の電気抵抗値は、図１５に示すように温度の上昇とともに大きくなる特性を持つ。つまり、温度が上昇すると第１回転軸４の回転速度は速くなる特性をもつ。
したがって、図１６に示すように温度によるゼンマイバネ７のエネルギー伝達経路の摺動部でのエネルギー消費量変化も温度の上昇とともに小さくするかもしくは略一定にする、つまりゼンマイバネ７で発生したエネルギーの、電気抵抗値でのエネルギー消費量＋摺動部でのエネルギー消費量を温度の上昇とともに小さくし、温度が上昇すると第１回転軸４の回転速度は速くなるようにする。つまり、温度の上昇とともにバルブの開閉制御時間を短くするかもしくは略一定にするようにする。より具体的には、ゼンマイバネ７のエネルギー伝達経路の摺動部に図１７に示すような温度変化に対して略一定の摺動抵抗値（摩擦係数）を有するか、温度の上昇とともに摺動抵抗値（摩擦係数）が低下する材料を使用または塗布する。図１７は、ゼンマイバネ７のエネルギー伝達経路の摺動部にサンケイ化学（株）製のフッ素系潤滑剤を塗布した場合の摺動抵抗値を示しているが、温度の上昇とともに摺動抵抗値（摩擦係数）が低下する材料であれば、関東化成工業（株）製などの他社製のフッ素系潤滑剤を塗布しても良い。潤滑剤を塗布しないのであれば、同様の温度特性を示す自己潤滑性の高いグレードのＰＯＭを使用しても良い。このようにするれば、図１８に示すような温度が上昇するとともに電気抵抗値が小さくなる（温度が上昇するとともにエネルギー消費量が大きくなる）という逆の特性を有するＮＴＣ型のサーミスタを用いることによって、温度変化により惹起される電動子の電気抵抗値変化分だけでなく、ゼンマイバネのエネルギー伝達経路の摺動部でのエネルギー消費量変化分まで補償することができ、ひいては図１６に示すように温度変化によるバルブの開閉制御時間のバラツキを抑えることが可能となる。
【００５１】
以上、本発明の実施例を説明したが、本発明は上記実施例に限定されない。
洗浄水供給装置１においては、第１カムロッド１３、第２カムロッド１８により、パイロット作動式弁装置のパイロット弁を開閉させる構成としても良い。パイロット作動式弁装置の一例を詳述する。
図１９、図２０に示すように、水洗式大便器Ａに使用されるパイロット作動式弁装置２１は、洗浄水流入口２２と、封水面よりも上方の便器内側面を洗浄するためのリム洗浄用の洗浄水流出口２３と、便器から汚物を排出するためのジェット洗浄用の洗浄水流出口２４と、開閉弁機構２５と、流路切替弁機構２６とを備えている。洗浄水流入口２２は家庭用水道配管に接続されている。洗浄水流出口２３は、配管を介して便器のリム部に形成されたリム吐水穴に接続されている。洗浄水流出口２４は、配管を介して便器の底部に配設されたジェット吐水ノズルに接続されている。
【００５２】
開閉弁機構２５は、ダイヤフラム２５１と弁座２５２と付勢バネ２５３とにより構成されるダイヤフラム弁２５４と、ダイヤフラム弁２５４により開閉される洗浄水流路２５５とを有している。ダイヤフラム弁２５４よりも上流側の洗浄水流路２５５は定流量弁２７を介して洗浄水流入口２２に連通している。ダイヤフラム弁２５４よりも下流側の洗浄水流路２５５は室２８に連通している。
【００５３】
開閉弁機構２５は、ダイヤフラム２５１を囲壁の一部とする圧力室２５６を有している。ダイヤフラム２５１に、圧力室２５６に連通するパイロット流入路２５７が形成されている。圧力室２５６からパイロット流出路２５８が延びている。パイロット流出路２５８を開閉するパイロット弁２５９が配設されている。パイロット弁２５９は図示しない弁体と、弁体を閉方向ヘ付勢する図示しないコイルバネとを有している。パイロット弁２５９の弁体に第１カムロッド１３の他端が当接している。
【００５４】
流路切替弁機構２６は、ダイヤフラム２６１と弁座２６２と付勢バネ２６３とにより構成されるダイヤフラム弁２６４と、ダイヤフラム弁２６４により開閉される洗浄水流路２６５とを有している。ダイヤフラム弁２６４よりも上流側の洗浄水流路２６５は室２８に連通している。ダイヤフラム弁２６４よりも下流側の洗浄水流路２６５は洗浄水流出口２４に連通している。
【００５５】
流路切替弁機構２６は、ダイヤフラム２６１を囲壁の一部とする圧力室２６６を有している。ダイヤフラム２６１に、圧力室２６６に連通するパイロット流入路２６７が形成されている。圧力室２６６からパイロット流出路２６８が延びている。パイロット流出路２６８を開閉するパイロット弁２６９が配設されている。パイロット弁２６９は図示しない弁体と、弁体を閉方向ヘ付勢する図示しないコイルバネとを有している。パイロット弁２６９の弁体に第２カムロッド１８の他端が当接している。
【００５６】
室２８と洗浄水流出口２３との間にダイヤフラム弁２９が配設されている。ダイヤフラム弁２９はダイヤフラム２９１と弁座２９２と付勢バネ２９３とにより構成されている。ダイヤフラム２９１を囲壁の一部とする圧力室２９４が配設されている。圧力室２９４は連通穴２９５を介してダイヤフラム弁２６４よりも下流側の洗浄水流路２６５と洗浄水流出口２４との間の連通路に連通している。
【００５７】
パイロット作動式弁装置２１の作動を説明する。
水洗式大便器Ａの操作部５０が操作される前は、パイロット弁２５９の弁体がコイルバネにより閉方向へ付勢され、パイロット弁２５９はパイロット流出路２５８を閉じている。この結果、圧力室２５６への洗浄水の流入は阻止されている。パイロット流入路２５７により、ダイヤフラム弁２５４の一次側圧力と圧力室２５６の圧力は略同一となっている。ダイヤフラム弁２５４の二次側圧力はダイヤフラム弁２５４の一次側圧力よりも低いので、ダイヤフラム２５１に加わる圧力室２５６の内圧による力は、洗浄水流路２５５の内圧による力よりも大きい。ダイヤフラム２５１には付勢バネ２５３の付勢力が印加されている。この結果、ダイヤフラム２５１は弁座２５２に押し付けられており、ダイヤフラム弁２５４、ひいては開閉弁機構２５は洗浄水流路２５５を閉じている。従って、便器のリム吐水穴とジェット吐水ノズルとからは、洗浄水は吐出しない。
【００５８】
水洗便器Ａの操作部５０が操作される前は、パイロット弁２６９の弁体がコイルバネにより閉方向へ付勢され、パイロット弁２６９はパイロット流出路２６８を閉じており、圧力室２６６への洗浄水の流入は阻止されている。ダイヤフラム弁２６４、ひいては流路切替弁機構２６は、開閉弁機構２５と同様に、洗浄水流路２６５を閉じている。
【００５９】
水洗便器Ａの操作部５０が操作される前は、付勢バネ２９３の付勢力を受けてダイヤフラム２９１が弁座２９２に当接しており、ダイヤフラム弁２９は室２８と洗浄水流出口２３との連通を遮断している。
【００６０】
便器利用者が水洗便器Ａの操作部５０を操作して便器洗浄を開始する。第１カム９が第１位置から第２位置へ向けて回転し、第１カムロッド１３のリフト量が１．５ｍｍ以上になり、第１カムロッド１３に当接する開閉弁機構２５のパイロット弁２５９の弁体が開方向へ移動し、図２１に示すように、パイロット流出路２５８を開く。パイロット流出路２５８が開くと、パイロット流入路２５７を介して圧力室２５６ヘ洗浄水が流入し、パイロット流出路２５８を介して圧力室２５６から洗浄水が流出する。洗浄水がパイロット流入路２５７を通過する際の圧力損失により、圧力室２５６の圧力がダイヤフラム弁２５４の一次側圧力よりも低くなる。ダイヤフラム２５１に加わる力のバランスが崩れ、ダイヤフラム２５１は弁座２５２を離れて圧力室２５６側ヘ移動する。この結果、ダイヤフラム弁２５４、ひいては開閉弁機構２５は洗浄水流路２５５を開く。
【００６１】
洗浄水流入口２２から流入し、定流量弁２７を通って所定流量Ｑに調整された洗浄水が、洗浄水流路２５５を通って室２８ヘ流入する。室２８の圧力が上昇し、ダイヤフラム２９１に加わる力のバランスが崩れ、ダイヤフラム２９１は弁座２９２を離れて圧力室２９４側ヘ移動する。この結果ダイヤフラム弁２９は室２８を洗浄水流出口２３に連通させる。
【００６２】
室２８が洗浄水流出口２３に連通した結果、洗浄水流出口２３から洗浄水が吐出する。洗浄水流出口２３から吐出した流量Ｑの洗浄水が、配管を通って便器のリム吐水穴から吐出し、図２２に示すように初期リム洗浄が行われる。
【００６３】
第３カム１７は停止しており、第２カムロッド１８のリフト量は零なので、パイロット弁２６９はパイロット流出路２６８を閉じており、流路切替弁機構２６のダイヤフラム弁２６４は洗浄水流路２６５を閉じている。従って、室２８と洗浄水流出口２４とは連通しない。従って、ジェット吐水ノズルからは洗浄水は吐出しない。
【００６４】
便器利用者が水洗便器Ａの操作部５０から手を離すと、第１カム９が第２位置から第１位置へ向けて回転し、第３カム１７が回転する。第２カムロッド１８のリフト量が増加し、第２カムロッド１８に当接する流路切替弁機構２６のパイロット弁２６９の弁体が、コイルバネの付勢力に逆らって開方向へ移動する。この結果、図２１に示すように、パイロット弁２６９はパイロット流出路２６８を開く。パイロット流出路２６８が開くと、パイロット流入路２６７を介して圧力室２６６ヘ洗浄水が流入し、パイロット流出路２６８を介して圧力室２６６から洗浄水が流出する。洗浄水がパイロット流入路２６７を通過する際の圧力損失により、圧力室２６６の圧力がダイヤフラム弁２６４の一次側圧力よりも低くなる。ダイヤフラム２６１に加わる力のバランスが崩れ、ダイヤフラム２６１は弁座２６２を離れて圧力室２６６側ヘ移動する。この結果、ダイヤフラム弁２６４、ひいては流路切替弁機構２６は洗浄水流路２６５を開く。
【００６５】
洗浄水が室２８から洗浄水流路２６５へ流入し、洗浄水流出口２４から吐出する。洗浄水流出口２４から吐出した流量Ｑの洗浄水が、配管を通って便器のジェット吐水ノズルから吐出し、図２２に示すようにジェット洗浄が行われる。便器本のトラップ排水路にサイホン現象が惹起され、便器から汚物が排出される。
【００６６】
洗浄水流路２６５と洗浄水流出口２４との間の連通路を洗浄水が流れることにより、圧力室２９４の圧力が上昇し、ダイヤフラム２９１に加わる力のバランスが崩れ、ダイヤフラム２９１は弁座２９２に押し付けられる。この結果、ダイヤフラム弁２９は室２８と洗浄水流出口２３との連通を遮断する。従って、洗浄水は便器のリム吐水穴からは吐出せず、リム洗浄は行われない。
【００６７】
第３カム１７が更に回転すると第２カムロッド１８のリフト量が急減して零になり、パイロット弁２６９の弁体がコイルバネの付勢力の下に閉方向へ移動する。この結果、図２１に示すように、パイロット弁２６９はパイロット流出路２６８を閉じる。ダイヤフラム弁２６４、ひいては流路切替弁機構２６は洗浄水流路２６５を閉じる。第１カムロッド１３のリフト量は、第１カムロッド１３が第１カム９から第２カム１２へ乗り換えることにより、１．５ｍｍ以上に維持されている。従って、パイロット弁２５９はパイロット流路２５８を開いており、ダイヤフラム弁２５４、ひいては開閉弁機構２５は洗浄水流路２５５を開いている。洗浄水流出口２４からの洗浄水の吐出が停止し、ジェット吐水ノズルからの洗浄水の吐出が停止し、ジェット洗浄が終了する。洗浄水流路２６５と洗浄水流出口２４との間の連通路を洗浄水が流れなくなることにより、圧力室２９４の圧力が低下し、ダイヤフラム２９１に加わる力のバランスが崩れ、ダイヤフラム２９１は弁座２９２から離れて圧力室２９４側ヘ移動し、ダイヤフラム弁２９は室２８を洗浄水流出口２３に連通させる。洗浄水流出口２３から洗浄水が吐出する。洗浄水流出口２３から吐出した流量Ｑの洗浄水により、図２２に示すように封水リム洗浄が行われ、便器に封水が形成される。
【００６８】
第１カム９が始点に接近すると、第１カムロッド１３の脚部１３ｂが第２カム１２の横溝１２ｂに落ち込み、第１カムロッド１３のリフト量が零になる。パイロット弁２５９の弁体がコイルバネの付勢力の下に閉弁方向ヘ移動し、パイロット弁２５９はパイロット流出路２５８を閉じる。ダイヤフラム弁２５４、ひいては開閉弁機構２５は洗浄水流路２５５を閉じる。この結果、パイロット作動式弁装置２１からの洗浄水の吐出が停止し、図２２に示すように封水リム洗浄が終了し、便器洗浄が終了する。
【００６９】
パイロット作動式弁装置２１においては、パイロット弁２５９、２６９を開閉操作することにより、開閉弁機構２５、流路切替弁機構２６が、洗浄水流路を開閉し、洗浄水流路を切替える。パイロット流出路２５８、２６８は小径でも機能を果たすので、パイロット弁２５９、２６９には小型で、駆動力の小さな弁を使用することができる。従って、第１カムロッド１３、第２カムロッド１８に印加する力を低減でき、操作部５０の操作力も低減できる。洗浄水供給装置１にパイロット作動式弁装置２１を使用することにより、小さな操作力で大流量の通水、止水を行うことができる。また、便器洗浄のように、停電時の未作動が使用者の生活に混乱を与えるものに関しては、電動式の洗浄水供給手段だと停電時での作動可能な装置が別途必要となるが、そのような装置も必要なくシンプルな構成の水洗便器を提供できる。さらに、温度変化によるバルブの開閉制御時間のバラツキが少ない、つまり温度変化による洗浄水吐水量のバラツキが少ないため、温度が変化しても確実に便器洗浄を行うことができる。
【図面の簡単な説明】
【図１】本発明の実施例に係る洗浄水供給装置の全体斜視図
【図２】本発明の実施例に係る洗浄水供給装置の全体斜視図
【図３】本発明の実施例に係る洗浄水供給装置の部分分解斜視図
【図４】本発明の実施例に係る洗浄水供給装置の部分斜視図
【図５】本発明の実施例に係る洗浄水供給装置の部分分解斜視図
【図６】本発明の実施例に係る洗浄水供給装置の部分分解斜視図
【図７】本発明の実施例に係る洗浄水供給装置が備える発電装置の断面図
【図８】本発明の実施例に係る洗浄水供給装置が備える発電装置に接続される負荷の回路図
【図９】本発明の実施例に係る洗浄水供給装置の部分斜視図
【図１０】本発明の実施例に係る洗浄水供給装置の作動時の第１カムと第１カムロッドの正面図
【図１１】本発明の実施例に係る洗浄水供給装置の作動時の第２カムと第１カムロッドの正面図
【図１２】本発明の実施例に係る洗浄水供給装置の作動時の第１弁のリフト量の経時変化を示す線図
【図１３】本発明の実施例に係る洗浄水供給装置の部分斜視図
【図１４】本発明の実施例に係る洗浄水供給装置の部分斜視図
【図１５】本発明の実施例に係る洗浄水供給装置が備える発電装置の内部抵抗値温度特性図
【図１６】本発明の実施例に係る洗浄水供給装置の開閉制御時間温度特性図
【図１７】本発明の実施例に係る洗浄水供給装置に用いられる摺動部材の摩擦係数温度特性図
【図１８】本発明の実施例に係る洗浄水供給装置が備える発電装置に接続されるサーミスタ抵抗値の温度特性図
【図１９】本発明の実施例に係る水洗式大便器の全体斜視図
【図２０】本発明の実施例に係る洗浄水供給装置により開閉制御されるパイロット作動式弁装置の断面図
【図２１】本発明の実施例に係る洗浄水供給装置により開閉制御されるパイロット作動式弁装置のパイロット弁の作動のタイムチャート
【図２２】本発明の実施例に係る洗浄水供給装置により開閉制御されるパイロット作動式弁装置を使用する便器洗浄工程のタイムチャート
【図２３】本発明の実施例に係る洗浄水供給装置に用いられる摺動部材の摩擦係数測定装置図（往復摺動試験装置図）
【図２４】従来例に係る洗浄水供給装置が備える発電装置に接続される負荷の回路図
【符号の説明】
１　洗浄水供給装置
２　操作軸
３、１９　増速ギヤ列
４　第１回転軸
５　係止爪
６ａ　可動爪
６ｂ　固定爪
７　ゼンマイバネ
８ａ、８ｂ　係合片
９　第１カム
９ａ、９ｂ　係合突起
１０　１方向クラッチ
１１　バネ
１２　第２カム
１３　第１カムロッド
１４、１５　　外歯車
１７　第３カム
１８　第２カムロッド
２０　発電装置
２０ａ、２０ａ′　切替スイッチ
２１　パイロット作動式弁装置
３０　ロータ
３１　永久磁石
３２　第一ヨーク
３３　第二ヨーク
３４　第一コイル
３５　第二コイル
４０　摺動側プレート
４１　上部側試験片
４２　荷重
４３　ロードセル
４４　記録計
５０　操作部
６１　第１ハンドル
６２　第２ハンドル
６４、６４′　揺動カム
Ａ　水洗便器
【図１】
2004108050.tif 000003
【図２】
2004108050.tif 000004
【図３】
2004108050.tif 000005
【図４】
2004108050.tif 000006
【図５】
2004108050.tif 000007
【図６】
2004108050.tif 000008
【図７】
2004108050.tif 000009
【図８】
2004108050.tif 000010
【図９】
2004108050.tif 000011
【図１０】
2004108050.tif 000012
【図１１】
2004108050.tif 000013
【図１２】
2004108050.tif 000014
【図１３】
2004108050.tif 000015
【図１４】
2004108050.tif 000016
【図１５】
2004108050.tif 000017
【図１６】
2004108050.tif 000018
【図１７】
2004108050.tif 000019
【図１８】
2004108050.tif 000020
【図１９】
2004108050.tif 000021
【図２０】
2004108050.tif 000022
【図２１】
2004108050.tif 000023
【図２２】
2004108050.tif 000024
【図２３】
2004108050.tif 000025
【図２４】
2004108050.tif 000026